(57)【要約】
【課題】長さ調整を容易にすることにより、複数種類の前隠しを用意することなく、祭壇、花壇等の大きさに応じて、その前を隠すことを可能とする。
【解決手段】　略円筒形状の本体部（２）と、該本体部（２）における外周側任意の箇所に連設した略円筒形状の連結突起部（３）と、前記本体部（２）における前記連結突起部（３）を連設した箇所に対向する側において本体部（２）の内周側に向けて突設した、前記連結突起部（３）を収納可能であるとともに、本体部（２）の外周側に向けて本体部（２）の長手方向に沿った開口部（７）を有する挿入部（６）と、を備えたことを特徴としており、複数本の前隠しを用いてそれぞれの連結突起部（３）を他の挿入部（６）内に挿入することで多数本の前隠しを連結し、あるいはその連結を解除可能にし、これにより、祭壇等の大きさに応じて、容易にその前を隠すことが可能となる。
【選択図】図１
0003100561.tif 000002
【実用新案登録請求の範囲】
【請求項１】
　略円筒形状の本体部（２）と、
　該本体部（２）における外周側任意の箇所に連設した略円筒形状の連結突起部（３）と、
　前記本体部（２）における前記連結突起部（３）を連設した箇所に対向する側において、本体部（２）の内周側に向けて突設した、前記連結突起部（３）を収納可能であるとともに、本体部（２）の外周側に向けて本体部（２）の長手方向に沿った開口部（７）を有する挿入部（６）と、を備えたことを特徴とする前隠し。
【請求項２】
　前記本体部（２）、連結突起部（３）及び挿入部（６）をＡＢＳ樹脂により一体形成したことを特徴とする請求項１に記載の前隠し。
【考案の詳細な説明】
【技術分野】
【０００１】
　本考案は、特に葬儀等の際に祭壇の前方に配置され、これにより祭壇等の前を隠すために用いられる前隠しに係り、より詳しくは、祭壇等の大きさに対応させて長さ調整が容易であるとともに、収納保管に際しても収納スペースに対応させた形態にすることを可能とした前隠しに関する。
【背景技術】
【０００２】
　従来から、葬儀等の際には、祭壇等の前側における下方部分に前隠しが配置されており、これによって祭壇等の全体を見栄え良くすることが行われている。
【０００３】
　例えば、図４は、この前隠しとして一般的に用いられている竹巻き３１を示した図であり、この竹巻き３１は一般的に、所定の長さ寸法に揃えた複数本の竹筒３２をワイヤー３３等で連結して構成されており、使用に際しては長く伸ばして祭壇等の前に配置し、これによって、祭壇の前を隠して祭壇全体の見栄えを良くし、一方、収納保管あるいは運搬に際しては巻き取った状態にされている。
【０００４】
　このように、従来から葬儀等においては竹巻き等の前隠しが祭壇等の前方に配置されているが、この従来から提供されている前隠しは、前述したように、ワイヤー等により連結されており、そのために全体の長さ調整を行うことができないために、祭壇等の大きさに対応させた長さのものを用意しなければならないという問題点が指摘されている。
【０００５】
　即ち、前述したように、前隠しは祭壇等の前方に配置され、これにより祭壇全体の見栄えを良くするものであるために、祭壇の横幅に対して短すぎる場合には祭壇の下方部分全体を隠すことができず、祭壇全体の見栄えを悪くしてしまい、また、長すぎる場合には、両端部分が余ってしまい、これによっても祭壇全体の見栄えを悪くしてしまう。そのために、前述のように、祭壇の大きさに合わせて複数種類の前隠しを予め用意しておく必要があり、そのための費用が必要になってしまう。
【０００６】
　そしてこのことは、例えば園芸の分野で用いられている、いわゆる連杭にも言えることであり、即ち、園芸等の分野では、花壇等の前方に連杭を用いる場合があり、従来から提供されている連杭は、木製、あるいは樹脂製等の杭をワイヤーで連結しているために、竹巻きの場合と同様に長さ調整を行うことができず、従って、花壇等の大きさに応じて複数種類のものを用意しなければならないという問題点がある。
【０００７】
　その一方、従来は、この前隠し、連杭等に関するこのような問題点を解決したものは提供されていなかった。
【考案の開示】
【考案が解決しようとする課題】
【０００８】
　そこで、本考案は、竹巻き、連杭等の前隠しにおけるこのような問題点を解決するためになされたものであり、長さ調整を容易にすることにより、祭壇、花壇等の大きさに応じて、その前を隠すことを可能とする前隠しを提供することを課題としている。
【課題を解決するための手段】
【０００９】
　本考案の前隠しは、略円筒形状の本体部と、該本体部における外周側任意の箇所に連設した略円筒形状の連結突起部と、前記本体部における前記連結突起部を連設した箇所に対向する側において本体部の内周側に向けて突設した、前記連結突起部を収納可能にするとともに、本体部の外周側に向けて本体部の長手方向に沿った開口部を有する挿入部と、を備えたことを特徴としている。
【考案の効果】
【００１０】
　本考案の前隠しでは、略円筒形状の本体部の外周側任意の箇所に略円筒形状の連結突起部を連設するとともに、前記本体部における前記連結突起部を連設した箇所に対向する側には、本体部の内周側に向けて、前記連結突起部を収納可能であるとともに本体部の外周側に向けて本体部の長手方向に沿った開口部を有する挿入部を突設している。
【００１１】
　そのため、挿入部内に連結突起部を挿入することによって、本体部を任意の本数分連結することが可能となり、これにより、所望する長さの前隠しとすることが可能である。
【００１２】
　従って、本考案の前隠しを用いることにより、葬儀においては祭壇の大きさに応じて、あるいは園芸の分野においては花壇等の大きさに応じて必要な長さの前隠しを形成することができ、複数種類の前隠しを用意しておく必要がなく、費用の削減にも貢献する。
【考案を実施するための最良の形態】
【００１３】
　本考案の前隠しでは、略円筒形状の本体部を備えており、この本体部における外周側任意の箇所には、反本体部側に、長手方向に沿った開口部を有した略円筒形状の連結突起部が連設されている。
【００１４】
　また、前記本体部において、連結突起部を連設した箇所に対向する箇所には、本体部の内周側に向けて挿入部を連設しており、この挿入部は、前記連結突起部を収納可能にするとともに、本体部の外周側には、本体部の長手方向に沿った開口部を有し、これにより、挿入部の内部と本体部の外部とを連通状態にし、この挿入部内に他の前隠しの連結突起部を挿入可能としている。
【００１５】
　ここで、前記本体部、連結突起部及び挿入部は、ＡＢＳ樹脂により一体形成するとよく、これにより、強度が強いとともに重量が少なく、更にカラーリングを行う際には鮮明な色を出すことが可能な前隠しを得ることが可能となる。
【実施例１】
【００１６】
　本考案の前隠しの実施例について図面を参照して説明すると、図１は、本実施例の前隠しを示した斜視図であり、また、図２は本実施例の前隠しの平面図であり、図において１が、本実施例の前隠しである。そして、本実施例の前隠し１は、本体部と、この本体部における外周側任意の箇所に連設した連結突起部と、前記本体部において前記連結突起部を連設した箇所に対向する箇所において本体部の内周側に向けて連設した挿入部とを備えており、ＡＢＳ樹脂により、全体を一体成形して構成されている。
【００１７】
　即ち、図において２が本体部であり、この本体部２は、所定の長さ寸法とした略円筒形状としており、その外周側の任意の箇所には、本体部２よりも小径とした、略円筒形状の連結突起部３が連設されている。
【００１８】
　ここで、前記連結突起部３について説明すると、本実施例において前記連結突起部３は、前記本体部２とほぼ同じ長さ寸法とした円筒形状としており、本体部２の外周側において本体部２の長手方向に沿って連設した略長板状の連結部４を介して本体部２に連設されている。
【００１９】
　また、本実施例においては、連結突起部３における反本体部２側の任意の箇所を、長手方向に沿って切り欠いて開口部５を形成している。但し、この開口部５は必ずしも必要なものではない。
【００２０】
　そして、本実施例においては、本体部２の外形寸法を約５０ｍｍ径とし、連結突起部３の外形寸法を約１６．８ｍｍ径としている。
【００２１】
　次に、本体部２において、前記連結突起部３を連設した箇所に対向する箇所には、本体部２の内周側に向けて挿入部６を連設している。即ち、本実施例においては、本体部２における反連結突起部３側の任意の箇所をその長手方向に沿って切り欠いて開口７を形成し、この開口７を介した本体部２の内周側と外周側の連通を遮断するような配置で、本体部２の内周側に向けて挿入部６を連設し、これにより、挿入部６の内部と本体部２の外部とを連通している。
【００２２】
　そして、本実施例において前記挿入部６としては、その内部に前記連結突起部３を収納可能な構成にしており、具体的には、内径を１７ｍｍとした略円筒形状としている。そしてこれにより、挿入部６内に連結突起部３を挿入することで任意の本数の前隠しを取り外し自在に連結可能にしているとともに、挿入部６内に連結突起部３を挿入した際には連結突起部３の外周と挿入部６の内周との間にわずかな隙間が形成でき、それにより、連結させた前隠しを波型にくねらすことも可能となる。
【００２３】
　次に、このように構成される本実施例の前隠し１の作用について説明すると、本実施例の前隠し１を用いて葬儀における祭壇の前方を隠す場合には、本実施例の前隠しを複数本用いて、これらの前隠しを、図３に示すように、それぞれの連結突起部３を挿入部６内に挿入することによって連結して所望の長さになるようにした後に、祭壇等の前に配置し、これによって祭壇等の前を隠して全体の見栄えを良くすることが可能となる。
【００２４】
　そしてこのとき、本実施例の前隠しでは、連結突起部３を挿入部６内に挿入することのみによって前隠しを連結可能としているために、ワイヤーで連結している従来の前隠しと異なり、全体の長さを自由に調整することができ、祭壇等の幅寸法等に容易に対応させることができるとともに、連結に際してワイヤーやジョイント等を用いる必要もなく連結作業が容易となる。
【００２５】
　また、連結突起部３を挿入部６から抜き取ることによって前隠しを１本ごとの状態にすることができるために、収納、保管あるいは運搬に際しては、許容されたスペースに対応させた状態にすることができる。従って、例えばまとまった収納スペースが無い場合には１本ごとの状態で収納、保管等を行い、あるいはある程度のまとまったスペースがある場合には、複数本を連結した状態で保管等を行うことが可能である。
【００２６】
　更に、全体をＡＢＳ樹脂により成形することにより、例えば色付きの前隠しにする場合には鮮明な色を出すことが可能となる。但し、必ずしもＡＢＳ樹脂を用いる必要はなく、その他の素材により成形してもよい。従って、例えば塩ビ等により成形してもよい。
【産業上の利用可能性】
【００２７】
　本考案の前隠しでは、１本ごとの前隠しを連結し、あるいはその連結を解除することが容易であり、それによって長さの調整が自在であるために、葬儀等における祭壇等の前を隠すために用いることができるのみならず、その他、園芸等の分野において花壇等の前を隠すためにも用いられ、その他、各種展示会における展示ブースの飾り等にも用いることが可能である。
【図面の簡単な説明】
【００２８】
【図１】本考案の前隠しの実施例を示す斜視図である。
【図２】本考案の前隠しの実施例を示す平面図である。
【図３】本考案の前隠しの実施例を使用する場合を説明した図である。
【図４】従来の竹巻きを説明するための図である。
【符号の説明】
【００２９】
　　　　１　　前隠し
　　　　２　　本体部
　　　　３　　連結突起部
　　　　４　　連結部
　　　　５　　連結突起部の開口部
　　　　６　　挿入部
　　　　７　　挿入部の開口部
【図１】
0003100561.tif 000003
【図２】
0003100561.tif 000004
【図３】
0003100561.tif 000005
【図４】
0003100561.tif 000006